【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
アップリンクデータ送信用にマルチユーザ通信リソースを1つまたは複数の局に割り振るための方法であって、前記方法が、アクセスポイントによって実行され、前記方法が、
前記1つまたは複数の局の各々からのアップリンクバッファ報告を要求する要求フレームを生成するステップであって、前記要求フレームが、前記アップリンクバッファ報告がアップリンクバッファ内のデータの量または前記アップリンクバッファ内の前記データを送信するための要求される時間の量のいずれかを示すことを選択的に要求し、前記要求フレームが、前記バッファされたアップリンクデータの量または前記バッファされたアップリンクデータを送信するための前記要求される時間の量を示すときにアップリンクバッファ報告が使用すべき要求されるグラニュラリティの指示を含み、前記要求フレームが、前記1つまたは複数の局から報告フレームを受信するための持続時間さらに示し、前記報告フレームが、前記アップリンクバッファ報告を含む、ステップと、
前記要求フレームを前記1つまたは複数の局の各々に送信するステップと、
前記1つまたは複数の局の各々から前記報告フレーム内の前記アップリンクバッファ報告を受信するステップと
を含む方法。
【請求項２】
前記通信リソースが、前記1つまたは複数の局の各々からの前記受信されたアップリンクバッファ報告に基づいて、アップリンクデータ送信用に前記1つまたは複数の局に割り振られる、請求項1に記載の方法。
【請求項３】
前記報告フレームのフレーム制御フィールドのモアデータサブフィールドに示されているアップリンクデータの存在を判定するステップをさらに含む、請求項1に記載の方法。
【請求項４】
前記報告フレームの送信レートに基づいて、前記アップリンクバッファ報告が前記アップリンクバッファ内の前記データの量または前記アップリンクバッファ内の前記データを送信するための前記要求される時間の量を示す、前記グラニュラリティを判定するステップをさらに含む、請求項1に記載の方法。
【請求項５】
アップリンクデータ送信用にマルチユーザ通信リソースを1つまたは複数の局に割り振るためのアクセスポイントであって、
前記1つまたは複数の局の各々からのアップリンクバッファ報告を要求する要求フレームを生成するように構成されたプロセッサであって、前記要求フレームが、前記アップリンクバッファ報告がアップリンクバッファ内のデータの量または前記アップリンクバッファ内の前記データを送信するための要求される時間の量のいずれかを示すことを選択的に要求し、前記要求フレームが、前記バッファされたアップリンクデータの量または前記バッファされたアップリンクデータを送信するための前記要求される時間の量を示すときにアップリンクバッファ報告が使用すべき要求されるグラニュラリティの指示を含み、前記要求フレームが、前記1つまたは複数の局から報告フレームを受信するための持続時間さらに示し、前記報告フレームが、前記アップリンクバッファ報告を含む、プロセッサと、
前記要求フレームを前記1つまたは複数の局に送信するように構成された送信機と、
前記1つまたは複数の局の各々から前記報告フレーム内の前記アップリンクバッファ報告を受信するように構成された受信機と
を備えるワイヤレスデバイス。
【請求項６】
前記プロセッサが、前記1つまたは複数の局の各々からの前記受信されたアップリンクバッファ報告に基づいて、アップリンクデータ送信用に前記通信リソースを前記1つまたは複数の局に割り振るようにさらに構成される、請求項5に記載のアクセスポイント。
【請求項７】
前記プロセッサが、前記報告フレームのフレーム制御フィールドのモアデータサブフィールドに示されているアップリンクデータの存在を判定するように構成される、請求項5に記載のアクセスポイント。
【請求項８】
アップリンクデータ送信用にマルチユーザ通信リソースを1つまたは複数の局に割り振るための方法であって、前記方法が、局によって実行され、前記方法が、
アップリンクバッファ報告を要求する要求フレームを受信するステップであって、前記要求フレームが、前記アップリンクバッファ報告がアップリンクバッファ内のデータの量または前記アップリンクバッファ内の前記データを送信するための要求される時間の量のいずれかを示すことを選択的に要求し、前記要求フレームが、前記バッファされたアップリンクデータの量または前記バッファされたアップリンクデータを送信するための前記要求される時間の量を示すときにアップリンクバッファ報告が使用すべき要求されるグラニュラリティの指示を含み、前記要求フレームが、前記1つまたは複数の局から報告フレームを受信するための持続時間さらに示し、前記報告フレームが、前記アップリンクバッファ報告を含む、ステップと、
前記アップリンクバッファ内の前記データの量または前記アップリンクバッファ内の前記データを送信するための前記要求される時間の量のいずれかを選択的に示す前記要求されたアップリンクバッファ報告を含む前記報告フレームを生成するステップと、
前記報告フレームをワイヤレスデバイスに送信するステップと
を含む方法。
【請求項９】
前記局からの前記アップリンクバッファ報告に基づいてアップリンクデータ送信用に前記通信リソースの一部分を前記局に割り振るメッセージが、前記ワイヤレスデバイスから受信される、請求項8に記載の方法。
【請求項１０】
アップリンクデータの存在を示すために、前記報告フレームのフレーム制御フィールド内のモアデータサブフィールドを使用するステップをさらに含む、請求項8に記載の方法。
【請求項１１】
前記アップリンクバッファ報告が、前記報告フレームの送信レートに基づくグラニュラリティを使用して、前記アップリンクバッファ内の前記データの量または前記アップリンクバッファ内の前記データを送信するための前記要求される時間の量を示す、請求項8に記載の方法。
【請求項１２】
アップリンクデータ送信用にマルチユーザ通信リソースを割り振るための局であって、
アップリンクバッファ報告を要求する要求フレームを受信するように構成された受信機であって、前記要求フレームが、前記アップリンクバッファ報告がアップリンクバッファ内のデータの量または前記アップリンクバッファ内の前記データを送信するための要求される時間の量のいずれかを示すことを選択的に要求し、前記要求フレームが、前記バッファされたアップリンクデータの量または前記バッファされたアップリンクデータを送信するための前記要求される時間の量を示すときにアップリンクバッファ報告が使用すべき要求されるグラニュラリティの指示を含み、前記要求フレームが、1つまたは複数の局から報告フレームを受信するための持続時間さらに示し、前記報告フレームが、前記アップリンクバッファ報告を含む、受信機と、
前記アップリンクバッファ内の前記データの量または前記アップリンクバッファ内の前記データを送信するための前記要求される時間の量のいずれかを選択的に示す前記要求されたアップリンクバッファ報告を含む前記報告フレームを生成するように構成されたプロセッサと、
前記報告フレームをワイヤレスデバイスに送信するように構成された送信機と
を備える局。
【請求項１３】
前記受信機が、前記局からの前記アップリンクバッファ報告に基づいてアップリンクデータ送信用に前記通信リソースの一部分を前記局に割り振るメッセージを前記ワイヤレスデバイスから受信するようにさらに構成される、請求項12に記載の局。
【請求項１４】
前記プロセッサが、アップリンクデータの存在を示すために、前記報告フレームのフレーム制御フィールド内のモアデータサブフィールドを使用するようにさらに構成される、請求項12に記載の局。
【請求項１５】
プロセッサによって実行されると、請求項1から4または8から11のいずれか一項に記載の方法を行うための命令を含む、コンピュータプログラム。